(57)【特許請求の範囲】
【請求項１】
操作者が目的とする運転監視画面に関するキーワードを入力する入力装置と、該入力装置により入力された前記キーワードに関係する運転監視画面を画面情報から検索し、関係する複数の運転監視画面に対応するサムネイルを優先順に並べて第一の列として表示することでメニュー画面として表示装置に表示制御する監視制御装置と、各運転監視画面の表示実績に係る情報が格納される画面表示情報格納部と、運転監視画面についての画面の推移の情報が格納されている画面展開情報格納部を備え、
前記画面表示情報格納部の情報は、運転監視画面が表示又は検索されるたびに更新され、前記画面展開情報格納部の情報は、運転監視画面が表示されるたびに更新され、
該監視制御装置は、前記表示装置に表示された前記第１の列のサムネイルが前記入力装置又は表示装置により第１の操作で選択されると、前記選択されたサムネイルに対応して前記画面展開情報格納部の格納情報に基づいて関連する運転監視画面を選択し、前記選択した運転監視画面に対応して前記画面表示情報格納部に格納した情報に基づいて優先順を求め、前記選択した運転監視画面のサムネイルを前記求められた優先順で前記第１の列の配列軸方向と異なる第２の軸方向に、前記第１の列のサムネイルのうちの選択されたサムネイルを起点とし第２の列のとして表示し、
前記表示装置に表示された前記第２の列のサムネイルが前記入力装置又は表示装置により前記第１の操作で選択されると、前記選択されたサムネイルに対応して前記画面展開情報格納部の格納情報に基づいて関連する運転監視画面を選択し、前記選択した運転監視画面に対応して前記画面表示情報格納部に格納した情報に基づいて優先順を求め、前記選択した運転監視画面のサムネイルを前記求められた優先順で前記第２の列の配列軸方向と異なる第３の軸方向に、前記第２の列のサムネイルのうちの選択されたサムネイルを起点とし第３の列のとして表示し、
前記表示装置に表示された前記第２の列のサムネイル又は第３の列のサムネイルが前記入力装置又は表示装置により前記第１の操作と異なる第２の操作で選択されると、選択された運転監視画面をサムネイルよりも拡大して表示する監視制御システム。
【請求項２】
前記画面情報が、画面情報格納部に記録される運転監視画面の画面名称，画面番号，画面種別と画面頁数を含む情報であって、画面検索処理部により検索される請求項１に記載の監視制御システム。
【請求項３】
前記画面展開情報が、画面展開情報格納部に記録される画面番号，画面種別，画面頁の推移を含む情報であって、画面検索処理部により検索される請求項１又は２に記載の監視制御システム。
【請求項４】
前記最初のメニュー画面が、前記検索された関係する運転監視画面から、運転監視画面の検索回数，運転監視画面の表示回数，操作回数，表示時間を含む画面表示情報により、優先度の高い順に選定される請求項１から３のいずれかに記載の監視制御システム。
【請求項５】
サムネイルの選択は、前記メニュー画面のサムネイルにマウスのカーソルを移動するかタッチパネルの指先を触れて行う請求項１から３のいずれかに記載の監視制御システム。
【請求項６】
プラント情報からの現在のプラントの状態により、前記サムネイルのメニュー画面に表示する優先度を決定する請求項４又は５に記載の監視制御システム。
【請求項７】
プラント情報からの現在のプラントの状態により、前記サムネイルを強調表示する請求項５又は６に記載の監視制御システム。
【請求項８】
入力装置により、操作者が目的とする運転監視画面に関するキーワードを入力すると、監視制御装置は、前記入力装置により入力された前記キーワードに関係する運転監視画面を画面情報から検索し、関係する複数の運転監視画面に対応するサムネイルを優先順に並べて第一の列として表示することでメニュー画面として表示装置に表示し、
各運転監視画面の表示実績に係る情報が格納される画面表示情報格納部の情報は、運転監視画面が表示又は検索されるたびに更新され、運転監視画面についての画面の推移の情報が格納されている画面展開情報格納部の情報は、運転監視画面が表示されるたびに更新され、
前記監視制御装置は、前記表示装置に表示された前記第１の列のサムネイルが前記入力装置又は表示装置により第１の操作で選択されると、前記選択されたサムネイルに対応して前記画面展開情報格納部の格納情報に基づいて関連する運転監視画面を選択し、前記選択した運転監視画面に対応して前記画面表示情報格納部に格納した情報に基づいて優先順を求め、前記選択した運転監視画面のサムネイルを前記求められた優先順で前記第１の列の配列軸方向と異なる第２の軸方向に、前記第１の列のサムネイルのうちの選択されたサムネイルを起点とし第２の列のとして表示し、
前記監視制御装置は、前記表示装置に表示された前記第２の列のサムネイルが前記入力装置又は表示装置により前記第１の操作で選択されると、前記選択されたサムネイルに対応して前記画面展開情報格納部の格納情報に基づいて関連する運転監視画面を選択し、前記選択した運転監視画面に対応して前記画面表示情報格納部に格納した情報に基づいて優先順を求め、前記選択した運転監視画面のサムネイルを前記求められた優先順で前記第２の列の配列軸方向と異なる第３の軸方向に、前記第２の列のサムネイルのうちの選択されたサムネイルを起点とし第３の列のとして表示し、
前記監視制御装置は、前記表示装置に表示された前記第２の列のサムネイル又は第３の列のサムネイルが前記入力装置又は表示装置により前記第１の操作と異なる第２の操作で選択されると、選択された運転監視画面をサムネイルよりも拡大して表示する監視制御システムの監視画面表示方法。
【請求項９】
前記画面情報が、画面情報格納部に記録される運転監視画面の画面名称，画面番号，画面種別と画面頁数を含む情報であって、画面検索処理部により検索される請求項８に記載の監視制御システムの監視画面表示方法。
【請求項１０】
前記画面展開情報が、画面展開情報格納部に記録される画面番号，画面種別，画面頁の推移を含む情報であって、画面検索処理部により検索される請求項８又は９に記載の監視制御システムの監視画面表示方法。
【請求項１１】
前記最初のメニュー画面が、前記検索された関係する運転監視画面から、運転監視画面
の検索回数，運転監視画面の表示回数，操作回数，表示時間を含む画面表示情報により、優先度の高い順に選定される請求項８から１０のいずれかに記載の監視制御システムの監視画面表示方法。
【請求項１２】
一度検索して、選択された複数の運転監視画面をユーザー情報として登録することで、運転監視画面用のメニュー画面として再利用する請求項８から１０のいずれかに記載の監視制御システムの監視画面表示方法。
【請求項１３】
前記ユーザー情報を別のユーザー情報としてコピーすることにより、運転監視画面用のメニュー画面を別のユーザーに引き継ぐ請求項１２に記載の監視制御システムの監視画面表示方法。
【発明の詳細な説明】
【技術分野】
【０００１】
本発明は、目的の運転監視画面を表示するのに好適な監視制御システム及びその監視画面表示方法に関する。
【背景技術】
【０００２】
監視制御システムでは、マルチウィンドウなど、１つの表示装置に複数の運転監視画面を表示できるようになっており、種類の異なる運転監視画面を組み合わせて表示しながら運転監視することが行われている。
【０００３】
しかし、１つの表示装置上に表示できる運転監視画面数には限りがあり、運転監視画面を切換えて表示しながら運転監視を行っている。
【０００４】
このように、運転監視画面を切換えながら運転監視を行うが、時として、再度同じ組み合わせの運転監視画面を表示させる必要に迫られることがあり、このような場合は、複数の運転監視画面の中から同じ組み合わせの運転監視画面を探し出す必要があり、この再度の見直しに多大の時間を要することになる。
【０００５】
この問題を解決するための従来技術として、〔特許文献１〕に記載の、マスタウィンドウとスレーブウィンドウをウィンドウセットとし、複数のウィンドウセットを管理し、一般のオーバラップ型マルチウィンドウ環境下で、ウィンドウセットと汎用ウィンドウの表示を制御するもの、〔特許文献２〕に記載の、操作者が表示した画面の表示回数と、表示した画面上で操作者が操作した回数に基づいて、操作者の表示頻度の高い３つの画面とその３つの画面と最も関連性の高い第４の画面の４画面を表示するものがある。
【０００６】
又、〔特許文献３〕には、アラームやイベントのメッセージに関連する複数の監視画面を縮小した縮小画面を並べて一覧表示する関連監視画面一覧ウィンドウをモニタ装置の画面の一部エリアに表示するものが記載されている。又、〔特許文献４〕には、１つのメイン画面と、複数のサムネイル表示画面を表示し、メイン画面と１つのサムネイル画面を入れ替えるものが記載されている。
【先行技術文献】
【特許文献】
【０００７】
【特許文献１】特開平１０−１２４２８４号公報
【特許文献２】特開２００８−２５０５１４号公報
【特許文献３】特開２００９−１４６２０８号公報
【特許文献４】特開２００８−２８７３６０号公報
【発明の概要】
【発明が解決しようとする課題】
【０００８】
〔特許文献１〕に記載の運転監視画面を表示する方法では、一度、運転監視に必要になる全ての運転監視画面を表示してからグループ化する必要があり、最適な組み合わせをグループ化するのに運転監視画面を出し直すなど手間がかかる問題があった。
【０００９】
又、〔特許文献２〕に記載の表示頻度の高い運転監視画面を表示する方法では、最適化された組み合わせの運転監視画面を一度表示しないと確認ができない問題があった。
【００１０】
又、〔特許文献３〕に記載のメッセージに関連する複数の監視画面を縮小した縮小画面を並べて一覧表示するものや、〔特許文献４〕に記載の複数のサムネイル表示画面を表示するものでは、予め決められた数の縮小画面から選択するため、限界があり、目的の監視画面を検索するには画面を出し直すなど、手間がかかるという問題がある。
【００１１】
本発明の目的は、縮小した運転監視画面を表示し、目的の運転監視画面を検索するメニュー画面を表示できる監視制御システム及びその監視画面表示方法を提供することにある。
【課題を解決するための手段】
【００１２】
上記目的を達成するために、本発明は、入力装置により、操作者が目的とする運転監視画面に関するキーワードを入力すると、監視制御装置は、前記入力装置により入力された前記キーワードに関係する運転監視画面を画面情報から検索し、関係する運転監視画面を少なくとも１つのサムネイルの最初のメニュー画面として表示装置に表示し、前記表示装置に表示された最初のメニュー画面のサムネイルを前記入力装置又は表示装置により選択し、画面展開情報により前記選択されたサムネイルに関連する運転監視画面をサムネイルのメニュー画面として前記最初のメニュー画面の配列軸方向と異なる軸方向に表示するものである。
【発明の効果】
【００１３】
本発明によれば、検索した運転監視画面をサムネイル（縮小画面）のメニュー画面で表示し、メニュー画面の上をマウスのカーソルで移動させることによって、検索した運転監視画面に関連するその他の運転監視画面を連続して探し出すことができるため、目的の運転監視画面を容易に探し出して表示することができるという効果がある。
【図面の簡単な説明】
【００１４】
【図１】本発明の一実施例である監視制御システムの構成図である。
【図２】図面情報格納部の構造を説明する図である。
【図３】図面表示情報格納部の構造を説明する図である。
【図４】図面展開情報格納部の構造を説明する図である。
【図５】図面検索情報格納部の構造を説明する図である。
【図６】サムネイルのメニュー画面の例を示した平面図である。
【図７】サムネイルのメニュー画面から関連する運転監視画面を表示するための処理フロー図である。
【図８】大画面に複数の運転監視画面を表示した例を示す図である。
【図９】運転監視画面の例を示す図である。
【発明を実施するための形態】
【００１５】
本発明の一実施例を図１から図９を用いて説明する。図１は、本実施例の監視制御システムの構成図である。本実施例の監視制御システムは、広域上下水処理場，発電所，工場などのプロセス監視制御に用いられる。
【００１６】
図１に示すように、監視制御システムは、監視制御装置１００と、ＣＲＴやＬＣＤなどで構成され、作業者に視覚的に映像を表示する表示装置１０１と、マウスやキーボード又はタッチパネルなどで構成され、作業者が監視制御装置１００に入力を行うためのデバイスである入力装置１０２で構成されている。
【００１７】
ここで、表示装置１０１とは別の大画面の表示装置が設置されていてもよく、大画面に後述する複数の運転監視画面を表示することができる。図８はその一例を示す図で、各運転監視画面は、ウィンドウやビューといった単位で扱われ、この運転監視画面には、プラント機器の数値を表すためのトレンド画面２１１，プロセス画面，プロセスアラーム画面２１２，運転ガイド画面２１３等がある。
【００１８】
監視制御装置１００は、表示装置１０１と入力装置１０２が接続される画面管理処理部１０３と、画面管理処理部１０３に接続される画面情報格納部１０４と、画面管理処理部１０３に接続される画面表示情報格納部１０５，画面展開情報格納部１０６及び画面検索処理部１０７と、画面検索処理部１０７に接続されるプラント情報格納部１１１及び画面検索情報格納部１０８と、プラント機器１１０に接続されるプラント管理処理部１０９で構成される。画面検索処理部１０７は、画面表示情報格納部１０５，画面展開情報格納部１０６及びプラント管理処理部１０９に接続され、プラント管理処理部１０９は画面管理処理部１０３に接続されている。
【００１９】
画面情報格納部１０４には、図２に示すように、画面情報４００として、運転監視画面の画面名称４０１，画面番号４０２，画面種別４０３と画面頁数４０４などの項目毎に情報を格納している。これらの情報は、監視制御システムに用意されている全画面分用意されている。
【００２０】
画面表示情報格納部１０５には、図３に示すように、図面表示情報４１０として、運転監視画面の画面名称４１１，表示回数４１２，操作回数４１３，表示時間４１４，検索回数４１５などの項目毎に情報を格納している。この情報は、監視制御システムに用意されている全画面分が表示又は検索されるたびに更新して格納され、オペレータや保守員などのユーザー毎に保持される。
【００２１】
画面展開情報格納部１０６には、図４に示すように、画面展開情報４２０として、画面番号４２１，画面種別４２２，画面頁４２３などの推移が格納されている。この情報は、運転監視画面が表示される度に更新されて格納され、ユーザー毎に保持される。
【００２２】
画面検索情報格納部１０８には、図５に示すように、画面検索情報４３０として、検索キーワード４３４，画面番号４３１，画面種別４３２，画面頁４３３などの情報が格納される。この情報は、運転監視画面を検索する度に作成され格納され、ユーザー毎に保持される。
【００２３】
プラント管理処理部１０９は、プラント機器１１０からの情報を入力し、プラント機器１１０からステータスや異常などの情報を含むプラント情報を取得する。プラント管理処理部１０９は、プラント機器１１０から取得した情報をプラント情報格納部１１１へ登録し、一方、プラント機器１１０に関する情報をプラント情報格納部１１１から取得する。
【００２４】
画面管理処理部１０３は、オペレータや保守員などの操作者が、入力装置１０２を操作して入力した要求を受付ける。入力された要求が、運転監視画面の表示要求の場合は、画面情報格納部１０４から運転監視画面の情報を、プラント管理処理部１０９から表示する運転監視画面に関係するプラント情報を取得する。
【００２５】
取得したプラントの情報と運転監視画面を組み合わせて異常や実行状態にある運転監視画面を優先して表示する。又、後述するように、サムネイルの運転監視画面に異常を示す赤枠や実行を示す緑枠で強調表示するのに情報を使用することもできる。
【００２６】
画面管理処理部１０３は、画面情報格納部１０４と画面表示情報格納部１０５及びプラント管理処理部１０９からの情報を入力し、表示した運転監視画面の画面情報４００と、更新した表示回数４１２，操作回数４１３，表示時間４１４と検索回数４１５を組み合わせて、画面表示情報４１０として画面表示情報格納部１０５に登録する。又、運転監視画面の過去の表示順番を更新し、画面情報４００と組み合わせて画面展開情報４２０として画面展開情報格納部１０６に登録する。
【００２７】
操作者が、目的の運転監視画面を必要とした場合は、次の操作を行う。画面管理処理部１０３は、操作者が入力装置１０２から入力した運転監視画面に関するキーワードを受付け、キーワードを画面検索処理部１０７に問合せする。
【００２８】
画面検索処理部１０７は、画面情報格納部１０４，画面表示情報格納部１０５，画面展開情報格納部１０６，画面検索情報格納部１０８及びプラント管理処理部１０９からの情報を入力し、問合せのあったキーワードに関係する運転監視画面を画面情報４００を検索して画面情報格納部１０４から取得する。取得した１つもしくは複数の画面情報４００は、検索キーワード４３４をインデックスにして画面検索情報４３０としてグループ化する。グループ化した画面検索情報４３０は画面検索情報格納部１０８に登録する。このグループ化した運転監視画面を表示する。
【００２９】
各運転監視画面の優先度の順に運転監視画面を表示することもでき、この場合は、次のようにする。
【００３０】
画面検索処理部１０７は、画面情報４００に該当する画面表示情報４１０を画面表示情報格納部１０５から取得すると、取得した画面表示情報４１０から表示回数４１２，操作回数４１３，表示時間４１４と検索回数４１５を参照して各運転監視画面の優先度を決定する。
【００３１】
表示装置１０１に表示する運転監視画面は、画面管理処理部１０３によって管理されている。画面管理処理部１０３は、画面検索処理部１０７から画面検索情報４３０と各運転監視画面の優先度を取得する。取得した画面検索情報４３０の運転監視画面を優先度の高い順に表示する。
【００３２】
画面管理処理部１０３は、画面検索処理部１０７から画面展開情報４２０と各運転監視画面の優先度を取得する。取得した画面展開情報４２０から優先度の高い組み合わせの関連する運転監視画面を決定して表示する。
【００３３】
図１に示す監視制御装置１００の表示装置１０１上に表示される運転監視画面の一例を図６，図９に示す。この図６は、運転監視画面を検索するために、サムネイル（縮小画面）を表示したメニュー画面を示している。又、図９は、サムネイルと１つの運転監視画面を表示している例を示している。
【００３４】
ここで、サムネイルは、主に画像を縮小イメージで表現した画像のことであり、原画像を縮小表示する方法と、原画像を縮小加工する方法により作成することができる。又、サムネイル画像を選択すれば、本来のファイルサイズの画像を表示させることが可能である。
【００３５】
この例では、検索されたサムネイルの運転監視画面２００が横方向に６画面表示される。ここで、運転監視画面に同時に表示できるサムネイルのメニュー画面は、表示装置１０１の大きさとサムネイルの大きさによって変わる。例えば、サムネイルが６画面以上の運転監視画面を検索したとき、表示装置１０１の左端又は右端にマウスのカーソルを合わせてクリックするか、タッチパネルに指先を触れることで、残りの運転監視画面が順に表示される。
【００３６】
検索してから最初に表示されるサムネイルの運転監視画面２００は、画面表示情報格納部１０５を利用して決められた優先度によって決まる。
【００３７】
図７は、サムネイルのメニュー画面から関連する運転監視画面を表示するまでの処理を示す流れ図である。
【００３８】
監視制御システムの操作者が、表示されているサムネイルの運転監視画面にマウスのカーソルを移動するか、タッチパネルの指先を触れて、メニュー画面で運転監視画面が指定されると、入力装置１０２からの情報を画面管理処理部１０３が受付け、指定されたメニュー画面での運転監視画面情報を画面情報格納部１０４を検索して特定する。
【００３９】
特定されたメニュー画面での運転監視画面情報から、ステップ１１で、画面展開情報４２０を画面展開情報格納部１０６から取得し、取得した画面展開情報４２０から該当する運転監視画面の部分を検索する。選択された運転監視画面の画面展開情報４２０を画面展開情報格納部１０６から取得し、ステップ１２で、取得した画面展開情報４２０に該当する画面情報４１０を画面表示情報格納部１０５から取得する。この取得された運転監視画面を表示する。
【００４０】
ここで、画面展開は、図９に示す状態で、後述するように、あるサムネイルを選択して別の運転監視画面に切り換えた場合に、表示されていた運転監視画面から切り換えた運転監視画面への切り換え情報のことをいう。例えば、Ａ運転監視画面からＢ運転監視画面へ、Ａ運転監視画面からＤ運転監視画面へ、Ａ運転監視画面からＥ運転監視画面へ、・・・といった切り換え情報は、Ａ運転監視画面の画面展開情報４２０として記録されている。この画面展開情報４２０からＢ運転監視画面，Ｄ運転監視画面，Ｅ運転監視画面、・・・をサムネイルで表示する。
【００４１】
各運転監視画面の優先度の順に運転監視画面を表示することもでき、この場合は、次のようにする。
【００４２】
ステップ１３で、取得した画面情報４１０から画面展開情報４２０の各運転監視画面に優先度をつける。
【００４３】
ステップ１４で、優先度の高い運転監視画面から順に画面情報４００を画面情報格納部１０４から取得する。
【００４４】
ステップ１５で、プラント情報をプラント情報格納部１１１から取得する。プラント情報からさらに優先度を振り分けるもしくは異常なら赤枠、実行なら緑枠といった強調表示を付加する。
【００４５】
ステップ１６で、サムネイルのメニュー画面で運転監視画面にマウスのカーソルを移動したかタッチパネルに指先を触れた箇所の上部又は下部に、さらに左部又は右部に関連する運転監視画面を表示する。
【００４６】
なお、上部又は下部に表示する関連する運転監視画面は、斜め方向に配列されるようにしてもよく、最初に表示されるサムネイルのメニュー画面と重ならないように、表示配列の軸方向が異なるように設定される。
【００４７】
この例では、左側に表示されるサムネイルほど優先度が高く設定されているが、優先度は右側に表示されるサムネイルほど優先度が高いように変更することもできるようになっている。
【００４８】
このように、最初に表示されるサムネイルの運転監視画面２０１にマウスのカーソルを移動するか、タッチパネルに指先を触れると、縦方向に運転監視画面２０１に関連する複数のサムネイルの運転監視画面２０２が表示される。例えば、６画面以上の関連する運転監視画面が検索されたとき、運転監視画面２０１にマウスのカーソルを移動するか、タッチパネルの指先を合わせると、残りの運転監視画面が順に表示される。
【００４９】
マウスのカーソルを移動して表示された複数のサムネイルの運転監視画面を固定的に表示する場合は、例えばマウスをクリックすることにより行える。
【００５０】
この例では、上側に表示されるサムネイルほど優先度が高く設定されているが、優先度は下側に表示されるサムネイルほど優先度が高いように変更することもできるようになっている。
【００５１】
さらに、表示されるサムネイルの運転監視画面２０３にマウスのカーソルを移動してクリックするか、タッチパネルに指先を触れると、横方向に運転監視画面２０３に関連する複数のサムネイルの運転監視画面２０４を表示するようにすることができる。例えば、７画面以上の関連する運転監視画面が検索されたとき、運転監視画面２０３にマウスのカーソルを移動してクリックするか、タッチパネルの指先を触れると、残りの運転監視画面が順に表示される。
【００５２】
この例では、左側に表示されるサムネイルほど優先度が高く設定されているが、優先度は右側に表示されるサムネイルほど優先度が高いように変更することもできるようになっている。
【００５３】
このように、表示されたサムネイルの運転監視画面の中から１つまたは複数の監視画面を例えばダブルクリックして選択することで、適切な運転監視画面を表示することができる。表示装置１０１には、選択された複数の運転監視画面が重ならないように、又は、一部の重なりを許して表示される。
【００５４】
このようにして一度検索して、選択された複数の運転監視画面をユーザー情報として登録することで、運転監視画面用のメニュー画面として再利用できる。
【００５５】
なお、ユーザー毎に格納される画面表示情報格納部１０５，画面展開情報格納部１０６，画面検索情報格納部１０８を利用して別のユーザーへ情報を展開することができる。すなわち、ユーザー情報を別のユーザー情報としてコピーすることにより、運転監視画面用のメニュー画面を別のユーザーに引き継ぐことができる。
【００５６】
本実施例によれば、検索した運転監視画面をサムネイル（縮小画面）のメニュー画面で表示し、メニュー画面の上をマウスのカーソルで移動させることによって、検索した運転監視画面に関連するその他の運転監視画面を連続して探し出すことができるため、目的の運転監視画面を容易に探し出して表示することができる。
【符号の説明】
【００５７】
１００  監視制御装置
１０１  表示装置
１０２  入力装置
１０３  画面管理処理部
１０４  画面情報格納部
１０５  画面表示情報格納部
１０６  画面展開情報格納部
１０７  画面検索処理部
１０８  画面検索情報格納部
１０９  プラント管理処理部
１１０  プラント機器
１１１  プラント情報格納部
【図１】
0005380364.tif 000002
【図２】
0005380364.tif 000003
【図３】
0005380364.tif 000004
【図４】
0005380364.tif 000005
【図５】
0005380364.tif 000006
【図６】
0005380364.tif 000007
【図７】
0005380364.tif 000008
【図８】
0005380364.tif 000009
【図９】
0005380364.tif 000010